(57)【要約】【課題】缶飲料類を家庭などでも、ごく簡単に加温できるようにする。【解決手段】缶飲料類を飲用に適した温度に加温する加温装置として、周囲をほぼ密閉した中空構造を有し、加温する缶飲料類１２を立てて挿入し、加温し、事後取り出すために開口１４を少なくとも１か所上面に形成した筐体１１、開口から挿入した缶飲料類の底部を乗せて缶飲料類を立てた状態で支え、加温するために筐体内部に配置したヒータープレート１５、上部にて筐体の上面側に吊り下げ式に取り付けられ、下部に上記ヒータープレートを取り付けるための複数個の支持体１６を具備し、ヒータープレートと支持体とをねじ結合を用いて、筐体の上面とヒータープレートの上面との間隔を変更可能に設ける。【選択図】          図１
2011104205.tif 000002
【特許請求の範囲】
【請求項１】
缶飲料類を飲用に適した温度に加温する加温装置であって、
周囲をほぼ密閉した中空構造を有し、加温する缶飲料類を立てて挿入し、加温し、事後取り出すために開口を少なくとも１か所上面に形成した筐体と、
開口から挿入した缶飲料類の底部を乗せて缶飲料類を立てた状態で支えるとともに、加温するために筐体内部に配置したヒータープレートと、
上部にて筐体の上面側に吊り下げ式に取り付けられ、下部に上記ヒータープレートを取り付けるための複数個の支持体を具備し、
ヒータープレートと支持体とをねじ結合を用いて、筐体の上面とヒータープレートの上面との間隔を変更可能に設けたことを特徴とする缶飲料類の加温装置。
【請求項２】
筐体の上面とヒータープレートの上面との間隔を変更可能に設けるために、上部にて筐体の上面側に吊り下げ式に取り付けられ、下部に雄ねじ部を有するボルト軸状の支持体と、この支持体をヒータープレートの取り付け部に通すとともに、上記雄ねじ部に下方からねじ込んでヒータープレートを支えるナットとを組み合わせ、上記ナットのねじ込みねじ戻しによってヒータープレートを上下動可能に構成し、かつまた、ヒータープレートの下面に熱反射板を設けた請求項１記載の缶飲料類の加温装置。
【請求項３】
加温中に缶飲料類の上部を覆うカバー板を有し、上記カバー板はヒンジによって、缶飲料類の上部を開放可能に筐体の上部に取り付けられている請求項１記載の缶飲料類の加温装置。
【発明の詳細な説明】
【技術分野】
【０００１】
本発明は、缶飲料類を飲用に適した温度に加温する、乾熱式の加温装置に関するものである。
【背景技術】
【０００２】
コーヒーや紅茶、緑茶或いはジュースなどの液体飲料を缶に充填した缶飲料は手軽に入手でき、何時でも、また、何処ででも好みのものを飲用することができるので、様々な状況において便利に利用されている。ジュース類は別として、お茶類は温かいものを飲用したい希望が多く、店頭では加温棚装置によってあらかじめ加温されているものもあるが、個人の家庭などで加温するには湯煎する必要があり、かえって手間がかかることになる。
【０００３】
これに対し、特開２００６-１３７３５６号は飲料缶用ホルダー内の底部にヒーターを設置して飲料缶を加温する車載用の加温器を開示している。しかし、この加温器において缶飲料は低いホルダーで囲まれているだけなので保温性に問題があると考えられ、また、缶飲料を１個ずつヒーターで加温するので、複数個加温するには時間もかかる。なお、ここでは缶飲料について述べたが、ビン入りの飲料も同様の状況であるから、本発明においてはビン入りの飲料を含めて缶飲料類と総称するものである。
【０００４】
【特許文献１】特開２００６-１３７３５６号
【発明の開示】
【発明が解決しようとする課題】
【０００５】
本発明は前記の点に着目してなされたもので、その課題は、缶飲料類を家庭などでも、ごく簡単に加温することができる乾熱式の加温装置を提供することである。
【課題を解決するための手段】
【０００６】
前記の課題を解決するため、本発明は、缶飲料類を飲用に適した温度に加温する加温装置として、周囲をほぼ密閉した中空構造を有し、加温する缶飲料類を立てて挿入し、加温し、事後取り出すために開口を少なくとも１か所上面に形成した筐体と、開口から挿入した缶飲料類の底部を乗せて缶飲料類を立てた状態で支えるとともに、加温するために筐体内部に配置したヒータープレートと、上部にて筐体の上面側に吊り下げ式に取り付けられ、下部に上記ヒータープレートを取り付けるための複数個の支持体を具備し、ヒータープレートと支持体とをねじ結合を用いて、筐体の上面とヒータープレートの上面との間隔を変更可能に設けるという手段を講じたものである。
【０００７】
本発明の装置は、開口をその上面に形成した筐体を備えており、缶飲料類の挿入と取り出しの容易化を図っている。缶飲料類の底部を乗せて立てて支えるために筐体内部に配置するヒータープレートを備えており、これ上部を筐体の上面側に取り付けて吊り下げる構成を一つの特徴としている。筐体はヒータープレートの取り付け構造の一部であり、構造の簡略化に寄与する。
【０００８】
ヒータープレートを支持体によって筐体に吊り下げ、ヒータープレートと支持体とをねじ結合を用いて、筐体の上面とヒータープレートの上面との間隔を変更可能に設ける。このために、上部にて筐体の上面側に吊り下げ式に取り付けられ、下部に雄ねじ部を有するボルト軸状の支持体と、この支持体をヒータープレートの取り付け部に通すとともに、上記雄ねじ部に下方からねじ込んでヒータープレートを支えるナットとを組み合わせ、上記ナットのねじ込みねじ戻しによってヒータープレートを上下動可能に構成している。
【０００９】
また、ヒータープレートの下面には熱反射板を設けることが望ましい。筐体は周囲がほぼ密閉された構造を有しており、従って、密閉空間内部の缶飲料類を取り囲む空気層によって得られる保温性能を備えているが、ヒータープレートの下面など、要所に熱反射板を設けることで、限られた熱源の加温能力が有効に利用される。
【００１０】
本発明の缶飲料類における加温装置では、加温中に缶飲料類の上部を覆うカバー板を有するものとし、上記カバー板をヒンジによって、缶飲料類の上部を開放可能に筐体の上部に取り付けることが望ましい。缶飲料類の飲み口のある面をカバー板で覆うことで衛生的になり、かつまた、加温中に熱が逃げることも防止できるからである。
【発明の効果】
【００１１】
本発明は以上のように構成されかつ作用するものであるから、家庭などでも、任意個数の缶飲料類をごく簡単に乾熱式に加温することができ、ヒータープレートは缶飲料類を加温するだけでなく、筐体の上面とヒータープレートの上面との間隔を変更可能なように缶飲料類を支えているので、缶飲料類の高さに応じた寸法に調節可能であり、簡潔な構造にもかかわらず複数の種類の缶飲料類に対応することができる。
【発明を実施するための最良の形態】
【００１２】
以下図示の実施形態を参照して本発明をより詳細に説明する。各図は本発明に係る缶飲料類の加温装置１０の一例を示すもので、缶飲料類を空気中にて乾熱加温する電熱式の装置である。１１は筐体であって、周囲をほぼ密閉した中空構造を有している。図示のものは、加工した金属板を組み合わせて直方体状に形成した筐体１１であり、６面全面がほぼ密閉されている。
【００１３】
上記の筐体１１は、加温の対象とした缶飲料類１２の大きさと本数に適合した内容量を有する形態に形成されるもので、図示の例では、７個の缶飲料類１２を加温することができるように設けられている。従って、筐体１１の上面１３には加温する缶飲料類１２を立てて挿入し、加温し、事後取り出すために７か所の開口１４が最密的な配置で形成されている。
【００１４】
上記の開口１４から挿入した缶飲料類１２の底部を乗せて、缶飲料類１２を立てた状態で支えるとともに、加温するためにヒータープレート１５が筐体内部に配置されている。ヒータープレート１５は筐体１１を構造体として取り付けられており、そのために、上部にて筐体１１の上面側に吊り下げ式に取り付けられ、下部に上記ヒータープレート１５を取り付けるための複数個の支持体１６を具備している。
【００１５】
支持体１６は、上部にて筐体１１の上面側に吊り下げ式に取り付けられるもので、上部と下部に雄ねじ部を有するボルト軸状の部材によって形成されている。より具体的には、ボルト軸状部材の上端の雄ねじ部１６ａにねじ込まれた袋ナット１８にて筐体１１の上面に固定され、下部の雄ねじ部１７にねじ込むナット１９でヒータープレート１５を支えている構造である。
【００１６】
このため、ナット１９のねじ込みねじ戻しによってヒータープレート１５の上下動が可能であり、雄ねじ部１７の範囲においてヒータープレート１５を上下させ、筐体１１の上面１３とヒータープレート１５の上面との間隔Ｈを、缶飲料類１２の高さに合わせて調節することなどが可能である。なお、１９′は止めナットであり、ヒータープレート１５を上から押えて浮動しないように固定している。
【００１７】
各図において、２０は乾熱加温のためのヒーターであって、ヒータープレート１５の下側に取り付けられており、また、ヒーター２０の下部にはわずかな隙間ｇを設けて電熱を缶飲料方向へ反射する熱反射板２１が設けられている。これらのヒーター２０及び熱反射板２１は、ボルトから成る取付け部材２２によって、下方からヒータープレート１５の下面に取り付けられている。２３は脚片を示しており、筐体１１の下面に部材を介して取り付けられている。
【００１８】
さらに、本発明の装置１０は、加温中に缶飲料類１２の上部を覆うカバー板２５を有しており、上記カバー板２５はヒンジ２４によって、缶飲料類１２の上部を開放可能に筐体１１の上部に取り付けられている。図示のカバー板２５は透明のプラスチックシートから成り、缶飲料類１２の上部を十分に覆い得る大きさを有しており、開閉端部に取り付けたつまみ２６の操作によって開閉するように設けられている。２７は持ち運び用の取っ手を示す。
【００１９】
図４は本発明の装置１０の回路図であり、２８は電源スイッチ、２９はヒューズ、３０は電源表示灯、３１、３２、３３はサーモスタット、３４は低温用スイッチであり、サーモスタット３２と並列に組み込まれている。３５は昇温表示灯で、ヒーター２０と並列に配線されており、家庭用交流電源ＡＣ１００Ｖに接続して使用する。ヒーター２０としてはニクロム線を使用する従来のものの他、アルミ箔ヒーターと呼ばれているシリコンゴムコードで被覆したヒーターをアルミ箔等でサンドイッチした構造のもの、或いは赤外線ヒーター等、任意の電気ヒーターの類を使用することができる。
【００２０】
従って、電源スイッチ２８の投入によってヒーター２０に電流が流れると同時に電源表示灯３０が点灯し、スイッチ３４がオンになっていれば低温用サーモスイッチ３２が作動するまでヒーター２０による加温が続く。低温、高温の設定は任意に行えることであり、例えば前者を４５℃、後者を６０℃のように設定する。
【００２１】
サーモスタット３２、３３が作動して、缶飲料１２を設定温度に加温するまでに要する時間は、ヒーター２０の発熱量による。常時通電による消費電力を考慮すると余り高出力のヒーター２０は使うべきではないが、図示のように２００ｃｃの缶飲料１２を７個程度室内において加温する場合、３００Ｗ／ｈｒのヒーター２０では数十分程度で目標温度に到達することが望ましいと思われる。しかし、より早く昇温させるにはヒーター熱量もより大きくしなければならず、また、加温の度合いや時間は任意に設定することができるものである。
【００２２】
このような本発明の装置は、図示した缶飲料類１２を数本程度加温する比較的小型のものから、数十本程度またはそれ以上の本数を加温可能な大型のものまで、需要に応じて製作することができ、媒体に水を用いる湿熱式ではないので構造が簡単で安全性も高くメインテナンスもほとんど不要である。そして、熱源を取り付けたヒータープレート１５を缶飲料類１２の高さに応じて上下動できることは既に説明したが、缶飲料類１２の太さに応じられるように、筐体上面の開口１４の直径を大きいものに合わせて形成することも可能である。この場合、小さい方の缶飲料類１２に合わせた開口径のカバーを作って、大き過ぎる開口径によって生じる隙間をふさげば良い。
【図面の簡単な説明】
【００２３】
【図１】本発明に係る缶飲料類の加温装置の一例を示す平面説明図である。
【図２】同上の装置の正面説明図である。
【図３】図１のＩＩＩ- ＩＩＩ線断面図である。
【図４】同じく本発明の装置の配線図である。
【符号の説明】
【００２４】
１０  缶飲料類の加温装置
１１  筐体
１２  缶飲料類
１３  上面
１４  開口
１５  ヒータープレート
１６  支持体
１７  雄ねじ部
１８  袋ナット
１９、１９′  ナット
２０  ヒーター
２１  熱反射板
２２  取付け部材
２３  脚片
２４  ヒンジ
２５  カバー板
２６  つまみ
２７  取っ手
２８  電源スイッチ
２９  ヒューズ
３０  電源表示灯
３１  安全用サーモスタット
３２  低温用サーモスタット
３３  高温用サーモスタット
３４  低温用スイッチ
３５  昇温表示灯
【図１】
2011104205.tif 000003
【図２】
2011104205.tif 000004
【図３】
2011104205.tif 000005
【図４】
2011104205.tif 000006